(57)【要約】【課題】外観から内蓋の取り付け忘れの確認ができる炊飯器を提供する。【解決手段】本体部１内部に有底円筒形状の内釜収容部３２を備え、本体部１の上方を覆い本体部１と回転自在のヒンジ部１２ｄで支持される外蓋１２ａを備え、内釜収容部３２に収納され内釜収容部３２の端部３２ｂにてフランジ部１４ｂが保持される内釜１４を備え、内釜１４の上部開口部１４ａを覆い、外蓋１２ａに取り付け時の支え部となる凸部固定片１２ｂ５を有した内蓋１２ｂを備え、外蓋１２ａに回転可能な操作スイッチ８０を備え、内蓋１２ｂと外蓋１２ａにそれぞれ独立した可動部１２ｃ１／ｆを外周縁上に備え、内蓋１２ｂを外蓋１２ａに取り付ける順番の固定をなくし、取り付けが不十分であっても、蓋体１２を閉じることで正しい位置に固定するものである。【選択図】図５
2020018416.tif 000002
【特許請求の範囲】
【請求項１】
本体部内部に有底円筒形状の内釜収容部を備え、
前記本体部の上方を覆い該本体部と回転自在のヒンジ部で支持される外蓋を備え、
前記内釜収容部に収納され該内釜収容部の端部にてフランジ部が保持される内釜を備え、
該内釜の上部開口部を覆う内蓋を備え、
前記内蓋と前記外蓋の一方につめ部を形成し他方に係止部を形成して勘合する勘合部を有し、前記つめ部と前記係止部は勘合される前に相対的に変位可能に弾性力で付勢され、
前記勘合部は前記内釜を挟んで反対側に互いに相対して配置されるか、或いは、所定の間隔をおいて３か所以上に配置されることを特徴とする炊飯器。
【請求項２】
前記係止部が全て外蓋または内蓋に備えられていることを特徴とする請求項１に記載の炊飯器。
【請求項３】
前記外蓋に備えられた前記係止部の固定力が前記外蓋の開閉を行う操作スイッチを固定するバネと共用していることを特徴とする請求項１と２のいずれか記載の炊飯器。
【発明の詳細な説明】
【技術分野】
【０００１】
本発明は、炊飯器に係り、特に使い勝手を向上した炊飯器に関するものである。
【背景技術】
【０００２】
炊飯器は、炊飯後に鍋（内鍋）や放熱板ユニット（内蓋）などを取り外して洗浄する必要があり、炊飯時には、取り外した鍋や放熱板ユニットを炊飯器本体に取り付けて炊飯を行う必要がある。
【０００３】
下記に示す特許文献１は、取り外した放熱板ユニットの取り付け忘れを防止するために、放熱板ユニットを取り外した状態では、操作スイッチの回動範囲が、放熱板ユニットを取り付けた状態と比較して大きくなり、操作スイッチが蓋の内側に陥没した状態になる。そのため、蓋を閉めなくても内蓋の有無を外観から確認することができる。
【０００４】
また、内蓋がない状態に外観で気づかずに、蓋を閉めようとした場合にも、蓋のツメが内釜のフランジに当るが、内釜のフランジはツメを開く方向に傾斜していないため、蓋を閉める抵抗が大きいために内蓋が取り付けられていないことに気付く。
【先行技術文献】
【特許文献】
【０００５】
【特許文献１】特開２０１６−４３２１０号公報
【発明の概要】
【発明が解決しようとする課題】
【０００６】
特許文献１に記載の炊飯器では、内蓋が取り付けられていないことには気づけるが、内蓋が正しい位置に取り付けられていない場合に気づかない。内蓋が正しい位置に取り付けられていない場合は蓋が閉まらない。一方、内蓋が正しい位置に取り付いてないと気付いたとしても、正しく取り付け直す必要がある。
その場合、内蓋の取り付けには、内蓋の凸部固定片を外蓋の凹部に挿入してからロックレバーで固定しなければならない。
本発明の目的は、内蓋が正しい位置に取り付いていない場合でも、簡便な操作で内蓋を装着することが可能な炊飯器を提供することにある。
【課題を解決するための手段】
【０００７】
本発明は、上記課題を解決するためになされたものであり、例えば、内蓋と外蓋の一方につめ部を形成し他方に係止部を形成して勘合する勘合部を有し、つめ部と係止部は勘合される前に相対的に変位可能に弾性力で付勢され、勘合部は内釜を挟んで反対側に互いに相対して配置されるか、或いは、所定の間隔をおいて３か所以上に配置されるように構成する。
【発明の効果】
【０００８】
本発明によれば、内蓋が正しい位置に取り付いていない場合でも、簡便な操作で内蓋を装着することが可能となり使い勝手が向上する。
【図面の簡単な説明】
【０００９】
【図１】外観斜視図
【図２】蓋体開時の斜視図
【図３】全体断面図
【図４】係止部断面のスイッチ平時を示す図
【図５】係止部断面のスイッチ押下時を示す図
【図６】可動部断面の内蓋無を示す図
【図７】蓋体の斜視図
【図８】外蓋の図
【図９】凹型可動部の図
【図１０】内蓋の図
【図１１】内蓋の図
【図１２】全体断面の蓋体閉時を示す図
【図１３】全体断面の蓋体開時を示す図
【発明を実施するための形態】
【００１０】
次に、本発明の実施形態に係る炊飯器について、適宜図面を参照しながら詳細に説明する。なお、本実施形態では、内釜を加熱する加熱手段として電磁誘導式のものを例に挙げて説明するが、電気ヒータなどの別の加熱手段を適用することもできる。
【００１１】
図１は、本実施形態に係る炊飯器１を示す外観斜視図である。
【００１２】
図１に示すように、炊飯器１は、炊飯ユニット１０と加熱ユニット２０とを備えて構成されている。
【００１３】
炊飯ユニット１０は、本体部１１と、この本体部１１の上部を覆う蓋体１２と、ハンドル１３と、を備えて構成されている。本体部１１と蓋体１２とで構成される外観は、おひつを模した形状を呈している。蓋体１２には、本体部１１と蓋体１２とのロックおよびロック解除を行う略Ｌ字形状の操作スイッチ８０とが設けられている。
【００１４】
加熱ユニット２０は、略円錐台形状を呈する加熱部２１を有し、この加熱部２１の上面に炊飯ユニット１０が載置されるように構成されている。このように加熱部２１を略円錐台形状とすることにより、炊飯ユニット１０を安定して支持することができる。
【００１５】
また、加熱ユニット２０は、加熱部２１の正面（前面）に、周面に沿って操作パネル２２が設けられている。操作パネル２２は、各種設定を行うスイッチ類２２ａ、運転状態などを表示する表示部２２ｂなどを備えている。また、加熱ユニット２０は、加熱部２１の後方に、略四角箱形状を呈する制御回路収容部２３が設けられている。この制御回路収容部２３から電源コード２４が引き出されている。
【００１６】
図２は、炊飯器１の蓋体１２を開けた状態を示す斜視図である。図１２は全体断面の蓋体閉時を示す図である。図１３は全体断面の蓋体開時を示す図である。
【００１７】
図２に示すように、炊飯ユニット１０の本体部１１には、有底円筒状の内釜１４（釜）が収容されている。内釜１４は、例えば、鉄などの強磁性金属を含む磁性金属と非磁性金属の複合材で形成され、上部開口１４ａの全周に略９０度外周方向に曲げたフランジ部１４ｂを有している。また、内釜１４は、有底円筒形状の内釜収容部３２（図３参照）に着脱可能に収容され、内釜収容部３２の有底円筒形状の開口側端部３２ｂにて内釜１４のフランジ部１４ｂを直接的・間接的に保持している。
【００１８】
蓋体１２は、内釜１４の上部開口１４ａを開閉するものであり、外蓋１２ａと内蓋１２ｂとで構成されている。また、蓋体１２は、本体部１１の後端部において、ヒンジ部１２ｄを介して回動自在に支持されている。ヒンジ部１２ｄは、本体部１１の平面視円形状の内側に位置するように配置され、また蓋体１２を開く方向に付勢させるコイルバネ（図示なし）が設けられている。
【００１９】
外蓋１２ａは、略円盤形状を呈し、下面に内蓋１２ｂを収容する凹部１２ａ１を有している。また、外蓋１２ａの前端には、上面から側面にかけてＬ字状に形成された操作スイッチ８０が取り付けられている。操作スイッチ８０には、蓋体１２を閉めて保持するために、後記するロック部９０と係合してロックする爪部８０ｂ１が下部に設けられている。
【００２０】
内蓋１２ｂは、外周縁部の全体にわたって設けたパッキン１２ｂ１と操作スイッチ８０側に設けた凸部固定片１２ｂ５（図３）とロックレバー１２ｃ、またそれに取り付けられた外蓋１２ａの内側壁側に広がって固定する板バネ（可動部）１２ｃ１が設けられている。設けられたパッキン１２ｂ１は、蓋体１２を閉じたときに、内釜１４の上部開口１４ａを覆い、内釜１４の内部を略密閉状態に保つようになっている。また、凸部固定片１２ｂ５と板バネ（可動部）１２ｃ１は、内蓋１２ｂを外蓋１２ａに固定するもので、一方は板バネ（可動部）１２ｃ１と外蓋ツメ固定部１２ｇからなる係止部Ａにより固定され、もう一方は、凸部固定片１２ｂ５と外蓋１２ａの操作スイッチ８０側に設けられた支持部１２ｅの上に取り付けられた凹型可動部１２ｆのつめ１２ｆ１からなる係止部Ｂで固定される（図９につめ１２ｆ１の詳細を示す）。取り外しの際はロックレバー１２ｃを内側に倒すことで板バネ（可動部）１２ｃ１がゆるみ内蓋１２ｂを取り外すことが可能となる。また各係止部は次のように固定されている。係止部Ａは、図７、図８、図１０、図１１に示されるように、内蓋１２ｂを押し込み板バネ(可動部)１２ｃ１と外蓋ツメ固定部１２ｇが接したときに、外蓋ツメ固定部１２ｇにより板バネ(可動部)１２ｃ１の山折り部が押し上げられ内蓋１２ｂは奥に入る。外蓋ツメ固定部１２ｇが板バネ(可動部)１２ｃ１の山折り部を越え、板バネ(可動部)１２ｃ１のバネ力により、板バネ(可動部)１２ｃ１が元の位置に戻ることで外蓋ツメ固定部１２ｇと板バネ(可動部)１２ｃ１の山折り部が係合し固定される。係止部Ｂは、内蓋１２ｂを押し込み凸部固定片１２ｂ５とつめ１２ｆ１の斜面同士が接触したときに、内蓋１２ｂを押す力が凹型可動部１２ｆを押し上げる。凸部固定片１２ｂ５がつめ１２ｆ１の斜面を越え、凸部固定片１２ｂ５が凹部に入ると押し上げていた力が解放され、８０ｄのバネ力により１２ｆが元の位置に戻り、１２ｆ１の平らな面と１２ｂ５の平らな面が係合し、固定される。
【００２１】
凹型可動部１２ｆは、操作スイッチ８０により外蓋１２ａ側からつめ１２ｆ１を内側へ突き出しており、内蓋１２ｂを取り付け時に凹型可動部１２ｆが内蓋１２ｂの凸部固定片１２ｂ５に押されて外側にスライドして、内蓋１２ｂが通るスペースを広げる。取り付け後は操作スイッチ８０ｂに押されてつめ１２ｆ１が内蓋１２ｂの凸部固定片１２ｂ５にかかって固定する。
【００２２】
内蓋１２ｂの凸部固定片１２ｂ５と板バネ（可動部）１２ｃ１を取り付ける順序は、板バネ（可動部）１２ｃ１を固定してから、凸部固定片１２ｂ５を固定することや、内蓋の１２ｂを押して同時に取り付けることができる。さらに、凸部固定片１２ｂ５のもう一つの働きと、内蓋１２ｂの板バネ（可動部）１２ｃ１と外蓋１２ａに取り付ける凹型可動部１２ｆをそれぞれ設けることによるもう一つの働きについては後述する。
【００２３】
本体部１１は、略円柱形状を呈し、内釜１４を収容する内釜収容部３２（図３参照）を有している。また、本体部１１には、内釜１４の外周に沿って延在する略環状の縁部１１ａが形成されている。この縁部１１ａの幅は、前端部１１ａ１が最も狭く形成され、左右両側から後端部１１ａ２に向けて徐々に広くなり、後端部１１ａ２が最も広くなるように構成されている。
【００２４】
また、縁部１１ａの前端部１１ａ１には、操作スイッチ８０と係合してロックするロック部９０（勘合部９０ａと背面部９０ｂで構成）が内釜収容部３２の端部３２ｂもしくは端部３２ｂ側に設けられている。ロック部９０は、爪部８０ｂ１と係合する勘合部９０ａと勘合部９０ａの先端側（本体部１１外側）を低く傾斜した断面が略三角形状（図３参照）となる背面部９０ｂを有している。
【００２５】
そして勘合部９０ａ側には、勘合部９０ａに付勢し勘合部９０ａの先端より本体部１１外側にその一部を突出して設けられた再掛防止部材９１が設けられている。
【００２６】
ヒンジ部１２ｄは、縁部１１ａの後端部１１ａ２の幅内に略収まるように構成されている。これにより、蓋体１２を閉じたときに、円柱形状を呈する炊飯ユニット１０の周面からヒンジ部１２ｄが突出しないようになっている。
【００２７】
図３は、炊飯ユニット及び加熱ユニットが分離した状態での断面図である。なお、図３では、一部を簡略化（断面の奥側に見える一部分を省略）して図示している。
【００２８】
図３に示すように、本体部１１の下面には、凹部１１ｂが形成されている。この凹部１１ｂは、本体部１１の直径よりも短く形成され、凹部１１ｂの周囲に環状の支持部１１ｃが形成されている。
【００２９】
支持部１１ｃの幅は、前記した縁部１１ａと同様に、前端部が最も狭く形成され、左右両側から後端部１１ａ２に向けて徐々に広くなり、後端部１１ａ２が最も広くなるように構成されている。なお、支持部１１ｃの複数個所には、ゴム製の滑り止め部材が嵌め込まれ、炊飯ユニット１０のテーブルに載置したときの滑りを防止している。
【００３０】
また、凹部１１ｂの天井板１１ｅの中心部には、窪み部１１ｓが形成されている。この窪み部１１ｓは、天井板１１ｅを上下方向に貫通する円形の円筒部１１ｆと、この円筒部１１ｆを塞ぐ伝熱板３８とを組み合わせて構成されている。なお、窪み部１１ｓの詳細な形状については後記する。
【００３１】
また、凹部１１ｂは、上方に向けて縮径するように、円錐台形状の空間を有している。また、凹部１１ｂの側面（周面）には、径方向外側に向けて凸となる位置決め凹部１１ｇが形成されている。この位置決め凹部１１ｇは、炊飯ユニット１０と加熱ユニット２０との取付方向を決めるものである。
【００３２】
また、本体部１１の背面（後面）には、後方に向けて突出するハンドル支持板１１ｈが設けられている。このハンドル支持板１１ｈは、略三日月板状に形成され、ハンドル１３が後ろ向きの水平位置で支持される高さ位置に取り付けられている。なお、ハンドル１３は、その両端部が本体部１１の左右側面側に回動自在に支持されており、前向きから後向きまでの範囲で回動するように構成されている。
【００３３】
加熱ユニット２０は、加熱部２１の上面に略円錐台形状の凸部２１ａを有している。この凸部２１ａは、前記した凹部１１ｂの空間に沿う形状である。この凸部２１ａの上面２１ｂの中央には、略円筒形状の突起部２１ｃが形成されている。この突起部２１ｃの円筒の内側には、温度センサ２５が挿通され、突起部２１ｃの上部開口２１ｅから温度センサ２５の上端部（上端面）が突出している。
【００３４】
また、凸部２１ａの側面（周面）には、径方向外側に向けて突出する位置決め凸部２１ｄが形成されている。この位置決め凸部２１ｄが、本体部１１の位置決め凹部１１ｇと嵌合することにより、炊飯ユニット１０と加熱ユニット２０との取付方向が決定される。すなわち、ヒンジ部１２ｄが後端（奥側）に位置した状態で炊飯ユニット１０が加熱ユニット２０上に載置される。なお、位置決め凸部２１ｄについても、前記した位置決め凹部１１ｇと対応するように、前方や側方など他の方向に凸となるように構成してもよい。
【００３５】
また、凸部２１ａの周囲には、炊飯ユニット１０の支持部１１ｃが当接する環状の当接面が形成されている。この当接面についても、支持部１１ｃと同様に、前端部が最も狭く形成され、左右両側から後端部に向けて徐々に広くなり、後端部が最も広くなるように構成されている。
【００３６】
以上、炊飯ユニット１０を上方に持ち上げることで、炊飯ユニット１０を加熱ユニット２０から取り外すことができるようになっている。このように、本実施形態の炊飯器１では、炊飯後に、炊飯ユニット１０のみを取り外してテーブル（食卓）に置くことができるようになっている。
【００３７】
制御回路収容部２３は、略四角箱形状を呈し、加熱部２１の後方に設けられている。また、制御回路収容部２３の上面２３ｂは、加熱部２１の上面２１ｂよりも上側に位置している。
【００３８】
制御回路収容部２３の上面２３ｂは、支持板１１ｈの下方に位置し、上面２３ｂは、支持板１１ｈの下面と若干の隙間を有して配置されている。このように、制御回路収容部２３を高くすることで、炊飯ユニット１０を加熱ユニット２０にセットする際のガイド部材として機能させることができ、炊飯ユニット１０を加熱ユニット２０にセットすることが容易になる。また、制御回路収容部２３を高くすることで、制御回路２３ｃを収容する空間を後方に向けて過度に突出させるのを防止できる。また、ハンドル１３が支持板１１ｈによって制御回路収容部２３の上方で支持されるので、炊飯ユニット１０を加熱ユニット２０に載置する際に、ハンドル１３が邪魔になることがない。
【００３９】
また、加熱ユニット２０の下面には、複数の脚部２６が設けられ、これらの脚部２６によって加熱ユニット２０を支持している。また、加熱ユニット２０の側面下部には、図示していないが、吸気口が形成されている。なお、吸気口とは左右反対側の加熱ユニット２０の側面下部には、排気口が設けられている。
【００４０】
本体部１１は、外郭を構成する有底円筒形状の胴体部３１と、内釜１４を収容し内釜１４のフランジ部１４ｂを直接的・間接的に保持する内釜収容部３２と、内釜収容部３２の周囲に巻回される断熱材３３と、を含んで構成されている。なお、内釜収容部３２は、耐熱性を有する合成樹脂などで形成されている。
【００４１】
本体部１１の下面側に形成された窪み部１１ｓは、凹部１１ｂの天井板１１ｅに形成された円筒部１１ｆと、円筒部１１ｆを塞ぐ伝熱板３８とによって凹状に形成されている。円筒部１１ｆは、内釜収容部３２の底部３２ａを貫通している。
【００４２】
伝熱板３８は、アルミニウム合金などの熱伝導性の良好な金属によって断面視凹状に形成され、円筒部１１ｆの開口１１ｆ１を覆うようにして閉塞している。また、伝熱板３８の上部は、内釜収容部３２内に露出している。また、伝熱板３８には、径方向外側に突出する抜け止め用のフランジ部３８ａが形成されている。また、伝熱板３８は、上下方向に可動できるように天井板１１ｅと底部３２ａとの間に空間が形成されている。
【００４３】
また、円筒部１１ｆの下部（凹部１１ｂ側）は、下方に向けて拡径するように構成されているので、突起部２１ｃを窪み部１１ｓ内に容易に案内することができ、炊飯ユニット１０を加熱ユニット２０に載置することが容易になる。
【００４４】
内釜収容部３２は、有底円筒形状を呈し、内釜収容部３２の底部３２ａが凹部１１ｂの天井板１１ｅの内面（上面）に固定されている。
【００４５】
内釜１４の底部１４ｃは、中央部に上方に隆起した隆起部１４ｄを有している。隆起部１４ｄの中央部の下面には、伝熱板３８が接触する。このように伝熱板３８によって円筒部１１ｆを塞ぐことにより、内釜１４の熱が円筒部１１ｆを通して下方に逃げるのを防止できる。
【００４６】
断熱材３３は、真空断熱材で構成され、内釜収容部３２の周囲全体を囲むように構成されている。また、断熱材３３は、例えば、ガラス繊維を金属箔で挟み込み、内部を真空引きして構成したものである。このような断熱材３３を適用することにより、炊飯器１を軽量化でき、炊飯ユニット１０を持ち運ぶ際の運搬性を向上できる。また、断熱材３３を設けることにより、炊飯後の熱が外部に逃げにくくなり、保温性能を向上できる。なお、断熱材３３に替えて真空容器を適用してもよい。
【００４７】
また、本体部１１の内部には、炊飯ユニット１０の位置検出用の磁石１６が設けられている。この磁石１６は、胴体部３１の後方の内壁面に固定されている。
【００４８】
加熱部２１には、凸部２１ａの上面２１ｂの下面（内面）に加熱コイル２７が設けられている。この加熱コイル２７は、例えば、リッツ線を巻回して平面環状に構成されている。また、加熱コイル２７は、コイル保持部２８上に載置されている。
【００４９】
温度センサ２５は、円柱形状を呈し、軸方向（上下方向）の中間部につば部２５ａが形成されている。つば部２５ａと、加熱部２１内に形成された受け部２１ｇとの間にコイルばね３９が介装され、このコイルばね３９の付勢力によって、温度センサ２５を上方（上部開口２１ｅから突出させる方向）に付勢している。
【００５０】
制御回路収容部２３の内部には、制御回路２３ｃが収容されている。この制御回路２３ｃは、基板に加熱コイル２７に電力を供給するインバータ制御回路などを備えて構成されている。また、制御回路２３ｃは、温度センサ２５が検出した温度情報や制御プログラムに応じて、加熱コイル２７へ供給する電力を制御する。
【００５１】
また、制御回路２３ｃには、炊飯ユニット１０側の磁石１６の磁気を検出する検出部２３ｄが設けられている。この検出部２３ｄは、例えば、ホール素子で構成され、位置決め凹部１１ｇと凸部２１ｄとが嵌まり合う状態で炊飯ユニット１０が加熱ユニット２０に載置された場合に磁石１６と対向するようになっている。この磁石１６と検出部２３ｄとが対向することで、炊飯ユニット１０が加熱ユニット２０の所定位置に載置されていることが制御回路２３ｃによって検知され、このような状態の場合のみ炊飯器１が作動するよう
になっている。
【００５２】
加熱ユニット２０は、制御回路収容部２３内の空間Ｒ１と加熱部２１内の空間Ｒ２とが互いに連通して、冷却風路を構成している。この空間Ｒ１と空間Ｒ２とにまたがるように冷却ファン４０が配置されている。炊飯時に冷却ファン４０が作動すると、図示していないが、吸気口から吸気された空気が、白抜き矢印で示す方向に流れることで、制御回路２３ｃおよび加熱コイル２７が冷却されるようになっている。冷却後の空気は、加熱ユニット２０に設けられた図示しない排気口から外部に排出される。
【００５３】
なお、本実施形態では、制御回路収容部２３には、空間Ｒ１と連通する孔が形成されていないので、仮に加熱部２１や制御回路収容部２３に対して上方から水などの液体が降りかかったとしても、制御回路２３ｃに不具合を生じさせることがない。なお、突起部２１ｃの上面開口２１ｅについては、加熱部２１の空間内において加熱コイル２７側の空間と遮断されている。
【００５４】
炊飯ユニット１０を加熱ユニット２０に載置すると、加熱部２１の凸部２１ａが本体部１１の凹部１１ｂと嵌合することで、炊飯ユニット１０が傾くことなく、加熱ユニット２０に載置される。また、凹部１１ｂの周囲の支持部１１ｃが凸部２１ａの周囲の当接面に当接することで、炊飯ユニット１０が加熱ユニット２０に支持される。このとき、温度センサ２５が突起部２１ｃの上面開口２１ｅから突出するように、コイルばね３９によって付勢されているので、温度センサ２５の先端上面を伝熱板３８の下面に密着させることができる。また、伝熱板３８は、内釜１４に密着するので、温度センサ２５によって、内釜１４の温度、換言するとご飯の温度を精度よく検出することができる。
【００５５】
また、本体部１１の凹部１１ｂの空間と加熱部２１の凸部２１ａとが略円錐台形状に形成されているので、凸部２１ａを凹部１１ｂに挿入し易くなり、炊飯ユニット１０を加熱
ユニット２０に載置し易くなる。
【００５６】
断熱材３３は、内釜１４の周囲に円形に配置されている。また、断熱材３３の中心は、内釜１４の中心に対して後方に偏心して配置されている。すなわち、前端における内釜１４と断熱材３３との間隔が最も狭く、後端における内釜１４と断熱材３３との間隔が最も広く、前端から後端に向けて徐々に間隔が広くなっている。このように後ろ側が広くなっているのは、ヒンジ部１２ｄが設けられていることによる。よって、断熱材３３を後ろ側の幅に合わせて全体を間隔で配置するよりも、断熱材３３を内釜１４に対して偏心して配置することで、炊飯ユニット１０の外形を小さくすることができ、炊飯器１の小型化を図ることができる。
【００５７】
内蓋１２ｂは、内釜１４の内部の蒸気の排出を制限して所定圧力に保つ調圧弁１２ｂ２を有している。調圧弁１２ｂ２を通過した蒸気は、蒸気通路１２ｂ３を通って、蓋体１２（外蓋１２ａ）に設けられた蒸気口１２ｂ４から炊飯器１の外部に排出される。
【００５８】
操作スイッチ８０は、外蓋１２ａの上面と側面の両方の面（表面）の位置に略合わせて、両方の面にまたがる略Ｌ字状の形状を呈し、表面には意匠を施した部材８０ａと、その略Ｌ字形状の内側の略角部近傍にＷ方向に回動可能とする支点と外蓋１２ａの側面側に釣り針形状の爪部８０ｂ１を有した可動片８０ｂと、前記支点を支持する軸８０ｃと、操作スイッチ８０をＷ１方向（内側）に付勢する付勢部材８０ｄ（例えばコイルバネ）が設けられている。
【００５９】
爪部８０ｂ１は、可動片８０ｂの下部から内側に突出し、後述するように勘合部９０ａと勘合（ロック）する形状であればよい。つまり、爪部８０ｂ１は可動片８０ｂの下端に付いていなくてもよい。
【００６０】
操作スイッチ８０は押し下げることにより、ある支点で回転可能であればよいので、本実施例の操作スイッチ８０のように略Ｌ字状の縦断面形状に限られない。例えば、湾曲形状や円弧形状、多角形状でもよい。同様に、可動片８０ｂも略Ｌ字状の縦断面形状に限られない。
【００６１】
凸部固定片１２ｂ５のもう一つの働きは、この操作スイッチ８０の回転可動する範囲を規制するものである。内蓋１２ｂを取り付けた状態で蓋体１２を開成すると、図４に示すように、操作スイッチ８０は、凸部固定片１２ｂ５に押された凹型可動部１２ｆの端面に当接し、この状態では、操作スイッチ８０の略Ｌ字形状の表面は、蓋体１２の上面と側面の面と略同一面となる位置で付勢される。この状態で蓋体１２を閉めていくと、爪部８０ｂ１の下面とロック部９０の背面部９０ｂとが当接し、蓋体１２を閉める方向に押し込むことにより、釣り針形状の爪部８０ｂ１は、背面部９０ｂの斜面を下降することで操作スイッチ８０をＷ２側にスムーズに回転し、勘合部９０ａの先端まで降下した後、今度は、再掛防止部材９１の突出部に当接し、更に蓋体１２を押し込むことで、再掛防止部材９１を押し下げ、勘合部９０ａと再掛防止部材９１との間に隙間が発生し、その隙間に操作スイッチ８０の爪部８０ｂ１が付勢部材８０ｄの力によって入り込み、勘合部９０ａと爪部８０ｂ１が勘合（ロック）して蓋体１２が閉成する。
【００６２】
また、蓋体１２を開ける場合には、操作スイッチ８０の上面を押圧することにより、蓋体１２が下方に押されると同時に、操作スイッチ８０が軸８０ｃを支点としてＷ２方向に回動することで、勘合部９０ａと爪部８０ｂ１の勘合（ロック）が解除される。該解除と同時に蓋体１２はヒンジ部１２ｄに設けられているバネの力によって開成し、また前記解除と同時に再掛防止部材９１が勘合部９０ａに付勢することで、爪部８０ｂ１が勘合部９０ａに再掛することは無く、蓋体１２はスムーズに開成する。
【００６３】
次に、内蓋１２ｂを付け忘れた時の動作について図５及び図６を参照して説明する。
【００６４】
内蓋１２ｂを付け忘れた状態では、操作スイッチ８０がＷ１側に回転可能な範囲を規制する凸部固定片１２ｂ５が無いため、操作スイッチ８０は更にＷ１側に回転して停止する。そのため、蓋体１２が開成している場合、操作スイッチ８０の略Ｌ字形状の上面端部は蓋体１２の上面より上方に突出し、側面端部は蓋体１２の側面より内側に陥没した状態となる。そのため、使用者は蓋体１２が開成している状態で、外観を見るだけで異常に気付くことが可能となる。
【００６５】
また、内蓋１２ｂを付け忘れたことに気づかず、この状態で蓋体１２を閉めていくと、爪部８０ｂ１の下方側が内釜１４のフランジ部１４ｂに当接する。フランジ部１４ｂは、勘合部９０ａの背面部９０ｂのような傾斜を備えていないため、スイッチ８０をＷ２側に回転させる力が働き難い。そのため、一定の力で蓋体１２を閉めていくと、蓋体１２が途中までしか閉まらないことで、使用者は、内蓋１２の付け忘れを知ることが可能となる。
【００６６】
内蓋１２ｂの板バネ（可動部）１２ｃ１と外蓋１２ａに取り付ける凹型可動部１２ｆをそれぞれ設けることによるもう一つの働きは、各可動部１２ｃ１／ｆのうち、少なくとも２ヶ所以上の取り付けが十分であれば残る係止部が浮いていた場合でも、蓋体１２を閉じるとパッキン１２ｂ１が内釜１４と接触し、内蓋１２ｂを外蓋１２ａに押し付けることで、浮いていた各可動部１２ｃ１／ｆが所定の位置に上がり、固定される。そのため、使用者は内蓋１２ｂの取り付けが不十分であっても、蓋体１２を閉じることで内蓋１２ｂが正しい位置に取り付けられ、使用者は内蓋１２ｂを取り付け直す必要がなく、正しい位置で落下する危険もなく使用できる。
【００６７】
以上、本発明の実施形態について説明したが、本発明は前記した実施形態に限定されず、種々の形態で実施することができる。
【００６８】
本実施形態では、特に操作スイッチ８０の構成において、意匠を施した部材８０ａを表面に設けているが、部材８０ａと可動片８０ｂが一体的に設けられても良く、また部材８０ａは無くても良い。
【００６９】
また、ロック部９０の勘合部９０ａと背面部９０ｂは一体でも別体でも良い。特に勘合部９０ａは強度を必要とするので金属で構成し、背面部９０ｂを樹脂で整形しても良い。また、断面を略三角形にする必要もなく、例えば先端部を釣り針形状に曲げた（成型した）部材一点でも良い。またロック部９０は内釜収容部３２と別体に設けられていても良い。
【００７０】
また、本実施形態では可動部１２ｃ１／ｆは、外蓋１２ａに１ヶ所と内蓋１２ｂに２ヶ所を設けているが、外蓋１２ａと内蓋１２ｂのどちらか一方だけに複数ヶ所設けても良い。
【００７１】
これら係止部の位置は、２ヶ所であれば約１８０度（±１０度）の間隔が、３ヶ所以上であれば、２ヶ所の係止部の間隔が等間隔以上に開いており、最も開いた間隔が１８０度未満の必要がある。例えば、３ヶ所であれば、２ヶ所が１２０度以上１８０度以内であり、４ヶ所の場合は、９０度以上１８０度以内となる。
【００７２】
さらに、外蓋１２ａに取り付けた凹型可動部１２ｆは操作スイッチの可動片８０ｂで押されて固定されているが、独立したバネ材などで固定しても良い。
【００７３】
さらに、炊飯ユニット内に加熱ユニット組み込まれた一体の炊飯器でも良い。
【００７４】
上記した本実施例によれば、外観を見ることで内蓋の有無の確認ができるため使い勝手が向上し、更に小型化可能な炊飯器を提供できる。
【符号の説明】
【００７５】
１        炊飯器
１０      炊飯ユニット
１１      本体部
１２      蓋体
１２ａ    外蓋
１２ｂ    内蓋
１２ｂ５  凸部固定片
１２ｃ    ロックレバー（内蓋）
１２ｃ１  板バネ（可動部）
１２ｄ    ヒンジ部
１２ｆ    凹型可動部（外蓋）
１２ｆ１  可動部つめ部
１２ｇ    ツメ固定部（外蓋）
１２ｅ    支持部
１４      内釜（釜）
１４ｃ    フランジ部
２０      加熱ユニット
２１      加熱部
２２      操作パネル
８０      操作スイッチ
８０ｂ    可動片
８０ｂ１  爪部
９０      ロック部
９０ａ    勘合部
９０ｂ    背面部
９１      再掛防止部材
【図１】
2020018416.tif 000003
【図２】
2020018416.tif 000004
【図３】
2020018416.tif 000005
【図４】
2020018416.tif 000006
【図５】
2020018416.tif 000007
【図６】
2020018416.tif 000008
【図７】
2020018416.tif 000009
【図８】
2020018416.tif 000010
【図９】
2020018416.tif 000011
【図１０】
2020018416.tif 000012
【図１１】
2020018416.tif 000013
【図１２】
2020018416.tif 000014
【図１３】
2020018416.tif 000015